(57)【要約】【課題】本発明は各種音響機器および情報通信機器に使用されるスピーカに関するものであり、スピーカの低コスト化が課題であった。【解決手段】本発明のスピーカは、そのプロテクタ２９を導電性材料から構成し、１対のリード線３０ａ，３０ｂの少なくとも一方を上記プロテクタ２９に結合してプロテクタ２９にターミナル機能を代用させることで、ターミナルの部品コストおよびターミナルをフレームに結合するために必要となる生産コスト、および生産設備費を削減し、スピーカの部品点数の削減と低コスト化を図る構成としたものである。【選択図】  図１
2004349919.tif 000002
【特許請求の範囲】
【請求項１】
磁気回路に結合されたフレームと、このフレームの外周部に結合された振動板と、この振動板に結合されるとともに、その一部が前記磁気回路の磁気ギャップに配置されたボイスコイルと、このボイスコイルから引き出された１対のリード線と、この振動板を覆うように前記フレームの外周部に結合されたプロテクタとからなるスピーカであって、前記プロテクタは導電性材料から構成され、前記１対のリード線の少なくとも一方に結合しターミナルを兼ねるように構成したスピーカ。
【請求項２】
フレームと、このフレームの外周部に結合された振動板と、この振動板に結合された振動部品と、この振動部品から引き出された１対のリード線と、この振動板を覆うように前記フレームの外周部に結合されたプロテクタとからなるスピーカであって、前記プロテクタは導電性材料から構成され、前記１対のリード線の少なくとも一方に結合しターミナルを兼ねるように構成したスピーカ。
【請求項３】
プロテクタを少なくとも２つの部材より構成した請求項１または請求項２記載のスピーカ。
【請求項４】
プロテクタは、少なくとも２つの部材を絶縁材にて一体化して構成した請求項３記載のスピーカ。
【請求項５】
プロテクタは、その外周の一部を磁気回路側に延出してターミナル部として構成した請求項３または請求項４記載のスピーカ。
【請求項６】
プロテクタは、その外周の一部を磁気回路と反対側に延出してターミナル部として構成した請求項３または請求項４記載のスピーカ。
【請求項７】
プロテクタは、その外周の一部をスピーカ自体の外周方向に延出してターミナル部として構成した請求項３または請求項４記載のスピーカ。
【請求項８】
プロテクタは、その一部をフレームにインサートしてターミナル部として構成した請求項３または請求項４記載のスピーカ。
【請求項９】
プロテクタのターミナル部に金メッキをして構成した請求項５から請求項８記載のいずれか１つのスピーカ。
【請求項１０】
プロテクタのターミナル部を弾力性を有するように構成した請求項５から請求項９記載のいずれか１つのスピーカ。
【請求項１１】
請求項１から請求項１０記載のいずれか１つのスピーカを搭載したスピーカシステム。
【請求項１２】
請求項１から請求項１０記載のいずれか１つのスピーカを搭載した電子機器。
【請求項１３】
請求項１から請求項１０記載のいずれか１つのスピーカを搭載した装置。
【発明の詳細な説明】
【０００１】
【発明の属する技術分野】
本発明は各種音響機器および情報通信機器に使用されるスピーカ、そのスピーカを用いたスピーカシステム、電子機器および装置に関するものである。
【０００２】
【従来の技術】
従来のスピーカについて図１３により説明する。
【０００３】
図１３は従来のスピーカの断面図を示したものであり、携帯電話用のスピーカを示している。図１３によると、マグネット１をヨーク３と上部プレート２により挟持して磁気回路４を構成している。この磁気回路４のヨーク３にフレーム６を結合している。そして、このフレーム６の周縁部に振動板７を装着し、この振動板７にこれを駆動させるためのボイスコイル８を結合し、このボイスコイル８を磁気ギャップ５にはまり込むように結合している。このボイスコイル８が導出した１対のリード線１０をフレーム６に結合された夫々別設のターミナル１１に結合している。さらに、このフレーム６の周縁部に振動板７を覆うようにプロテクタ９を結合している。
【０００４】
なお、この出願の発明に関連する先行技術文献情報としては、例えば、特許文献１が知られている。
【０００５】
【特許文献１】
特開平１０−２２４８７９号公報
【０００６】
【発明が解決しようとする課題】
上述のスピーカは、セット側から電気信号を入力するための１対のターミナル１１が設けられ、このターミナル１１は電気信号を入力する機能のみのために存在するだけで、スピーカの音響特性向上のために寄与することはない。
【０００７】
ところが、このターミナル１１の部品コストとこれを結合するために必要となる生産コスト、および生産設備費はスピーカ全体のコスト構成から比較すると、非常に高いものとなり、スピーカの生産性やコスト低減化に対して大きな課題を有するものであった。
【０００８】
本発明は、このターミナルを削減し、スピーカの部品点数の削減を実現できる優れたスピーカを提供するものである。
【０００９】
【課題を解決するための手段】
上記課題を解決するために、本発明は以下の構成を有する。
【００１０】
本発明の請求項１に記載の発明は、磁気回路に結合されたフレームと、このフレームの外周部に結合された振動板と、この振動板に結合されるとともに、その一部が前記磁気回路の磁気ギャップに配置されたボイスコイルと、このボイスコイルから引き出された１対のリード線と、この振動板を覆うように前記フレームの外周部に結合されたプロテクタとからなるスピーカであって、前記プロテクタは導電性材料から構成され、前記１対のリード線の少なくとも一方に結合しターミナルを兼ねるように構成したものである。
【００１１】
この構成により、プロテクタにターミナル機能を兼ね持たせることができる。このようにプロテクタにターミナル機能を代用させることで、ターミナルの部品コストとこれを結合するために必要となる生産コスト、および生産設備費を削減することができ、スピーカの部品点数の削減と低コスト化を図ることができる。
【００１２】
本発明の請求項２に記載の発明は、フレームと、このフレームの外周部に結合された振動板と、この振動板に結合された振動部品と、この振動部品から引き出された１対のリード線と、この振動板を覆うように前記フレームの外周部に結合されたプロテクタとからなるスピーカであって、前記プロテクタは導電性材料から構成され、前記１対のリード線の少なくとも一方に結合しターミナルを兼ねるように構成したものである。
【００１３】
この構成により、請求項１と同様に圧電型等のボイスコイルを用いないスピーカに関しても、プロテクタにターミナル機能を兼ね持たせることができる。このようにプロテクタにターミナル機能を代用させることで、ターミナルの部品コストとこれを結合するために必要となる生産コスト、および生産設備費を削減することができ、スピーカの部品点数の削減と低コスト化を図ることができる。
【００１４】
本発明の請求項３に記載の発明は、プロテクタを２つ以上有して構成したものである。この構成により、２つ以上のターミナル機能を持たせることができる。
【００１５】
本発明の請求項４に記載の発明は、プロテクタは、少なくともその各々が絶縁された２体以上の導電性材料から構成したものである。この構成により、２つ以上のプロテクタに、それぞれ独立してターミナル機能を持たせることができる。
【００１６】
本発明の請求項５に記載の発明は、少なくともプロテクタの外周の一部を磁気回路側に延出してターミナル部を構成したものである。この構成により、スピーカとセット側の回路基板との結合を容易に実施することができる。
【００１７】
本発明の請求項６に記載の発明は、少なくともプロテクタの外周の一部を磁気回路と反対側に延出してターミナル部を構成したものである。この構成により、スピーカとセット側のケースとの結合を容易に実施することができる。
【００１８】
本発明の請求項７に記載の発明は、少なくともプロテクタの外周の一部をスピーカの外周方向に延出してターミナル部を構成したものである。この構成により、スピーカとセット側との結合を容易に実施することができる。
【００１９】
本発明の請求項８に記載の発明は、少なくともプロテクタの一部をフレームにインサートしてターミナル部を構成したものである。この構成により、プロテクタとフレームとの結合生産性を向上させることができる。
【００２０】
本発明の請求項９に記載の発明は、少なくともプロテクタの一部に金メッキをしてターミナル部を構成したものである。この構成により、プロテクタとセット側との給電を、金メッキの高い導電率により安定して実施することができる。
【００２１】
本発明の請求項１０に記載の発明は、少なくとも弾力性を有する材料によりプロテクタの一部をターミナル部として構成したものである。この構成により、プロテクタとセット側との給電を、弾力性のあるプロテクタにより、常時加圧接触させることで安定して実施することができる。
【００２２】
本発明の請求項１１に記載の発明は、請求項１から請求項１０記載のいずれか１つのスピーカを搭載してスピーカシステムを構成したものである。この構成により、スピーカユニットさらにはスピーカシステムについてもプロテクタにターミナル機能を代用させることで、ターミナルの部品コストとこれを結合するために必要となる生産コスト、および生産設備費を削減することができ、スピーカシステムの部品点数削減と低コスト化を図ることができる。
【００２３】
本発明の請求項１２に記載の発明は、請求項１から請求項１０記載のいずれか１つのスピーカを搭載して電子機器を構成したものである。この構成により、電子機器の低コスト化を図ることができる。
【００２４】
本発明の請求項１３に記載の発明は、請求項１から請求項１０記載のいずれか１つのスピーカを搭載して装置を構成したものである。この構成により、装置の低コスト化を図ることができる。
【００２５】
【発明の実施の形態】
以下、本発明の実施の形態について図面を用いて説明する。なお、各実施の形態の説明については、実施の形態１と同様のものはその説明を省略しながら説明する。
【００２６】
（実施の形態１）
以下、実施の形態１を用いて、本発明の特に請求項１に記載の発明について説明する。
【００２７】
図１は、ボイスコイルを磁気回路で駆動する携帯電話用の動電型スピーカを示したものである。図１によると、マグネット２１をヨーク２３と上部プレート２２により挟持して磁気回路２４を構成している。この磁気回路２４にフレーム２６を結合し、このフレーム２６の周縁部に振動板２７を接着し、この振動板２７にこれを駆動させるためのボイスコイル２８を結合し、このボイスコイル２８を前記磁気回路２４の磁気ギャップ２５にはまり込むように結合している。そして、振動板２７を覆い、導電性材料よりなるプロテクタ２９をフレーム２６に結合している。さらに、このボイスコイル２８から引き出された２本のリード線３０ａ，３０ｂのうち、その一方３０ａを従来通りのフレーム２６に設けられたターミナル３１に結合し、もう一方３０ｂをプロテクタ２９に結合し構成している。
【００２８】
ここで、このプロテクタ２９は、導電性材料から構成されているため、プロテクタ２９にターミナルの機能を持たせることができる。よって、セット側からの電気信号供給時には、ターミナル３１とプロテクタ２９に入力信号を供給することでスピーカを駆動することができる。
【００２９】
このように、プロテクタ２９にターミナル機能を代用させることで、通常２つあるターミナル３１の部品コストとこれを結合するために必要となる生産コストをターミナル１つ分だけ削減することができ、スピーカの部品点数の削減と低コスト化を図ることができる。
【００３０】
以上の構成は、内磁型の磁気回路２４について説明したが、外磁型の磁気回路についても適用することができる。また、当該実施の形態は、携帯電話用のスピーカについて説明したが、この分野に限定されることなく、車載用スピーカ等についても適用することができる。車載用スピーカの場合は、プロテクタ２９を導電性のパンチングネットや金網等の材料によりグリルとして構成して適用されることが多い。
【００３１】
このようにプロテクタ２９にターミナル機能を代用させることで、ターミナル３１の部品コストとこれをフレームに結合するために必要となる生産コスト、および生産設備費を削減することができ、スピーカの部品点数の削減と低コスト化を図ることができる。
【００３２】
（実施の形態２）
以下、実施の形態２を用いて、本発明の特に請求項２に記載の発明について説明する。図２は本発明の一実施形態のスピーカの断面図を示したものであり、実施の形態１と異なる点は、携帯電話用の圧電スピーカに適用していることである。
【００３３】
図２によると、振動部である圧電素子３２をフレーム２６に結合し、その反対側を振動板２７に結合し構成している。そして、この振動板２７の周縁部をフレーム２６に結合している。さらに、振動板２７を覆い、導電性材料よりなるプロテクタ２９をフレーム２６に結合している。そして、この圧電素子３２を駆動させるための圧電素子３２から導出した電流供給用の２本のリード線３０ｃ，３０ｄのうち、その一方３０ｃを従来通りのフレーム２６に設けられたターミナル３１に結合し、もう一方３０ｄをプロテクタ２９に結合し構成している。
【００３４】
ここで、このプロテクタ２９は導電性材料から構成されているため、プロテクタ２９にターミナルの機能を持たせることができる。よって、セット側からの電気信号供給時には、ターミナル３１とプロテクタ２９に入力信号を供給することでスピーカを駆動させることができる。
【００３５】
このようにプロテクタ２９にターミナル機能を代入させることで、通常２つあるターミナル３１の部品コストとこれをフレームに結合するために必要となる生産コストを１つ分だけ削減することができ、スピーカの部品点数の削減と低コスト化を図ることができる。詳細説明については、前記同様であるため省略する。
【００３６】
（実施の形態３）
以下、実施の形態３を用いて、本発明の特に請求項３に記載の発明について説明する。
【００３７】
図３は、本発明の一実施形態のスピーカの断面図を示したものである。実施の形態１と異なる点は、プロテクタ２９を２つに分割して構成したものである。この構成により、２つに分割したプロテクタ２９それぞれにターミナル機能を持たせることができる。よって、２本のリード線３０ａ，３０ｂの両方を、それぞれのプロテクタ２９に結合することで、ターミナル３１をなくすことができる。そのため、通常２つあるターミナルの製品コストとこれをフレームに結合するために必要となる生産コストとを全て削減することができ、ターミナルをなくしたスピーカを実現することができ、スピーカの部品点数の削減と低コスト化を図ることができる。詳細説明については、前記同様であるため省略する。
【００３８】
（実施の形態４）
以下、実施の形態４を用いて、本発明の特に請求項４記載の発明について説明する。
【００３９】
図４は、本発明の一実施形態のスピーカの断面図を示したものである。実施の形態１と異なる点は、２つに分割したプロテクタ２９を絶縁部２９ａにて一体化して構成したものである。この構成により、絶縁部２９ａにて一体化された２つのプロテクタ２９に、それぞれ独立してターミナル機能を持たせることができる。よって、２本のリード線３０ａ，３０ｂの両方を、プロテクタ２９のそれぞれに結合することで、ターミナルをなくすことができる。そのため、通常２つあるターミナルの製品コストと、これをフレームに結合するために必要となる生産コストとを全て削減することができ、ターミナルをなくしたスピーカを実現することができ、スピーカの部品点数の削減と低コスト化を図ることができる。詳細説明については、前記同様であるため省略する。
【００４０】
（実施の形態５）
以下、実施の形態５を用いて、本発明の特に請求項５と請求項９および請求項１０に記載の発明について説明する。
【００４１】
図５は、本発明の一実施形態のスピーカの断面図を示したものである。実施の形態１と異なる点は、本発明は、２つに分割したそれぞれのプロテクタ２９の外周の一部を磁気回路２４側に延出してターミナル部２９ｂを構成したものである。
【００４２】
この場合、プロテクタ２９の外周の一部の延出したターミナル部２９ｂは、その形状をピン状にしたり、幅を狭くしてターミナル機能を満足しやすい形状に形成している。すなわち、セット側の回路基板に設けられた取付孔に、プロテクタ２９のピン状のターミナル部２９ｂを植設したり、回路基板を外周部から挟み込んで固定したりすることができる。また、この構成は、ターミナル部２９ｂを植設したり、挟み込んで固定したりした後に、ターミナル部２９ｂの余った部分を折り曲げることで、スピーカの固定をより強固に実施することができる。
【００４３】
また、請求項９に記載の発明は、上記した２分割のプロテクタ２９それぞれに設けたターミナル部２９ｂに金メッキをして構成したものである。この金メッキをする位置は、通常はセット側との接触部となることが多いプロテクタ２９の延出したターミナル部２９ｂの端部である。この構成により、プロテクタ２９とセット側との給電を、金メッキの高い導電率により安定して実施することができる。
【００４４】
また、請求項１０に記載の発明は、上記した２分割のプロテクタ２９それぞれに設けたターミナル部２９ｂを弾力性を有する材料により構成したものである。この構成により、プロテクタ２９とセット側との給電を、弾力性のあるプロテクタ２９により、常時加圧接触させることができ安定して実施することができる。
【００４５】
これらの構成により、スピーカとセット側との結合を容易に、また安定して実施することができる。詳細説明については、前記同様であるため省略する。
【００４６】
（実施の形態６）
以下、実施の形態６を用いて、本発明の特に請求項６に記載の発明について説明する。図６は、本発明の一実施形態のスピーカの断面図を示したものである。実施の形態５と異なる点は、２つに分割したそれぞれのプロテクタ２９の外周の一部を磁気回路２４と反対側に延出してターミナル部２９ｃを構成したものである。この構成により、スピーカとセット側のケースとの結合を容易に実施することができる。詳細説明については、前記同様であるため省略する。
【００４７】
（実施の形態７）
以下、実施の形態７を用いて、本発明の特に請求項７に記載の発明について説明する。図７は、本発明の一実施形態のスピーカの断面図を示したものである。実施の形態５と異なる点は、２つに分割したそれぞれのプロテクタ２９の外周の一部をスピーカの外周方向に延出してターミナル部２９ｄを構成したものである。この構成により、スピーカとセット側との結合を容易に実施することができる。詳細説明については、前記同様であるため省略する。
【００４８】
（実施の形態８）
以下、実施の形態８を用いて、本発明の特に請求項８に記載の発明について説明する。図８、図９は、本発明の一実施形態のスピーカの断面図を示したものである。実施の形態１と異なる点は、２つに分割したそれぞれのプロテクタ２９の一部をフレーム２６にインサートして構成したものである。
【００４９】
図８については、プロテクタ２９の一部をインサートして構成したフレーム２６にスピーカを構成する他の部品を組み立てた直後の状態を示したものである。図９については、他の部品を組み立てた後に、プロテクタ２９を折り曲げて本来の形状に形成した状態を示したものである。
【００５０】
この構成により、２つに分割したプロテクタ２９は折り曲げ加工されることにより本来のプロテクタの機能を発揮し、ターミナル部２９ｅを兼ねることができ、プロテクタ２９とフレーム２６との結合生産性を向上させることができる。詳細説明については、前記同様であるため省略する。
【００５１】
（実施の形態９）
以下、実施の形態９を用いて、本発明の特に請求項１１に記載の発明について説明する。
【００５２】
図１０は、本発明の一実施形態のスピーカシステムの断面図を示したものである。図１０については、請求項１から請求項１０記載のいずれか１つのスピーカ４０を搭載してスピーカシステムを構成したものである。すなわち、ユニットであるスピーカ４０をエンクロジャー４２に取付けてスピーカシステム４１を構成したものである。
【００５３】
この場合、スピーカシステム４１のターミナルは、スピーカ４０のターミナルを使用して構成したものである。よって、ターミナルの共用化を図ることで、スピーカユニットのみならずスピーカシステムについてもターミナルを削除することができ、ターミナルの部品コストとこれを結合するために必要となる生産コスト、および生産設備費を削減することができ、スピーカシステムの部品点数削減と低コスト化を図ることができる。
【００５４】
（実施の形態１０）
以下、実施の形態１０を用いて、本発明の特に請求項１２に記載の発明について説明する。
【００５５】
図１１は、本発明の一実施形態の電子機器である携帯電話の部分断面図を示したものである。図１１については、請求項１から請求項１０記載のいずれか１つのスピーカ４０を搭載して電子機器である携帯電話を構成したものである。すなわち、ユニットであるスピーカ４０を回路基板４３に結合し固定し、表示手段４５や他の部品と共に外装ケース４４に収納して携帯電話４６を構成したものである。よって、プロテクタ２９は携帯電話４６の外装ケース４４表面に配置され、このプロテクタ２９の一部により構成されたターミナル部２９ｂは回路基板４３に結合し固定されている。ここでは、結合固定する機能もプロテクタ２９のターミナル部２９ｂを折り曲げることで実現している。この構成とすることで、スピーカ４０のターミナルを削除することができ、ターミナルの部品コストとこれを結合するために必要となる生産コスト、および生産設備費を削減することができ、電子機器である携帯電話４６の部品点数の削減と低コスト化を図ることができる。
【００５６】
（実施の形態１１）
以下、実施の形態１１を用いて、本発明の特に請求項１３に記載の発明について説明する。
【００５７】
図１２は、本発明の一実施形態の装置である自動車の部分断面図を示したものである。図１２については、請求項１から請求項１０記載のいずれか１つのスピーカ４０を搭載して装置である自動車を構成したものである。すなわち、ユニットであるスピーカ４０を自動車４７の一部に結合し固定して構成したものである。ここでも、結合固定する機能もプロテクタのターミナル部を折り曲げることで実現している。
【００５８】
この構成とすることで、スピーカ４０のターミナルを削除することができ、ターミナルの部品コストとこれを結合するために必要となる生産コスト、および生産設備費を削減することができ、装置である自動車４７の部品点数削減と軽量化、低コスト化を図ることができる。
【００５９】
【発明の効果】
以上のように本発明のスピーカは、そのプロテクタを導電性材料から構成し、１対のリード線の少なくとも一方を上記プロテクタに結合してターミナルを兼ねるように構成したものである。この構成により、プロテクタにターミナル機能を代用させることで、ターミナルの部品コストおよびターミナルをフレームに結合するために必要となる生産コスト、および生産設備費を削減することができ、スピーカの部品点数の削減と軽量化、低コスト化を図ることができる。よって、本発明は大きな低コスト化を実現できる優れたスピーカを提供することができ、その工業的価値は非常に大なるものである。
【図面の簡単な説明】
【図１】本発明の一実施の形態におけるスピーカの断面図
【図２】本発明の一実施の形態におけるスピーカの断面図
【図３】本発明の一実施の形態におけるスピーカの断面図
【図４】本発明の一実施の形態におけるスピーカの断面図
【図５】本発明の一実施の形態におけるスピーカの断面図
【図６】本発明の一実施の形態におけるスピーカの断面図
【図７】本発明の一実施の形態におけるスピーカの断面図
【図８】本発明の一実施の形態におけるスピーカを構成するプロテクタの折り曲げ前の断面図
【図９】同スピーカのプロテクタの折り曲げ後の断面図
【図１０】本発明の一実施の形態におけるスピーカシステムの断面図
【図１１】本発明の一実施の形態における電子機器の部分断面図
【図１２】本発明の一実施の形態における装置の断面図
【図１３】従来のスピーカの断面図
【符号の説明】
２１  マグネット
２２  上部プレート
２３  ヨーク
２４  磁気回路
２５  磁気ギャップ
２６  フレーム
２７  振動板
２８  ボイスコイル
２９  プロテクタ
２９ａ  絶縁部
３０ａ  リード線
３０ｂ  リード線
３０ｃ  リード線
３０ｄ  リード線
３１  ターミナル
３２  圧電素子
４０  スピーカ
４１  スピーカシステム
４２  エンクロジャー
４３  回路基板
４４  外装ケース
４５  表示手段
４６  携帯電話
４７  自動車
【図１】
2004349919.tif 000003
【図２】
2004349919.tif 000004
【図３】
2004349919.tif 000005
【図４】
2004349919.tif 000006
【図５】
2004349919.tif 000007
【図６】
2004349919.tif 000008
【図７】
2004349919.tif 000009
【図８】
2004349919.tif 000010
【図９】
2004349919.tif 000011
【図１０】
2004349919.tif 000012
【図１１】
2004349919.tif 000013
【図１２】
2004349919.tif 000014
【図１３】
2004349919.tif 000015